(57)【特許請求の範囲】
【請求項１】
橋梁へのせん断パネル型ダンパーユニットの取付け構造において、
前記せん断パネル型ダンパーユニットが、橋梁を構成するブレース材に取り付けられたガセットプレートに固定された連結プレートと、橋梁部材との間であって、前記板状のダンパーウェブの面が前記ブレース材と前記橋梁部材と同一面内となるように配置されるとともに、横に離れて又は接触して、二以上並べられ、
前記せん断パネル型ダンパーユニットは、対向する二枚のベースプレート間に板状のダンパーウェブが縦向きに配置固定され、両ベースプレート間であってダンパーウェブの両端側にフランジプレートが縦向き且つダンパーウェブと交差する向きに配置固定されるせん断パネル型ダンパーユニットであって、
前記二枚のベースプレートのうち一方のベースプレートを、橋梁を構成するブレース材に取り付けられたガセットプレートに固定された連結プレートに脱着可能に連結されるガセット側ベースプレートとし、
他方のベースプレートを、せん断パネル型ダンパーユニットが配置される橋梁部材に脱着可能に連結される橋梁部材側ベースプレートとし、
前記ガセット側ベースプレートの外側面を、前記連結プレートと連結されるガセット側連結面とし、
前記橋梁部材側ベースプレートの外側面を、前記橋梁部材に連結される橋梁部材側連結面とし、
前記ガセット側ベースプレートの横寸法は、前記連結プレートに二以上のガセット側ベースプレートを横に並べて配置可能な寸法であり、
前記連結プレートは、前記二以上のせん断パネル型ダンパーユニットのガセット側ベースプレートを配置可能な横寸法であり、
前記横に並べられた二以上のせん断パネル型ダンパーユニットは、そのガセット側連結面が前記連結プレートと、橋梁部材側連結面が前記橋梁部材と、夫々個別に連結され、
前記二以上のせん断パネル型ダンパーユニットは、これら二以上のせん断パネル型ダンパーユニットのうち一部が連結された状態のままで、夫々個別に、前記連結プレートと前記橋梁部材から取り外して交換可能であり、夫々のせん断パネル型ダンパーユニットは一部のせん断パネル型ダンパーユニットの取り外し時に仮受け具の役割を果たすことができるものである、
ことを特徴とする橋梁へのせん断パネル型ダンパーユニット取付け構造。
【請求項２】
請求項１記載の橋梁へのせん断パネル型ダンパーユニット取付け構造において、
２本のブレース材がＶ字状に配置され、
前記ブレース材の軸芯を延長した交点が、せん断パネル型ダンパーユニットが連結された橋梁部材上に位置することにより、
ブレース材の前記軸芯の交点と、前記橋梁部材と、の偏心に伴う水平力による曲げモーメントが低減されるようにしたことを特徴とする橋梁へのせん断パネル型ダンパーユニット取付け構造。
【請求項３】
請求項１又は請求項２に記載の橋梁へのせん断パネル型ダンパーユニット取付け構造に、交換可能に配置固定されるせん断パネル型ダンパーユニットにおいて、
前記せん断パネル型ダンパーユニットは、橋梁を構成するブレース材に取り付けられたガセットプレートに固定された連結プレートと、橋梁部材との間にせん断パネル型ダンパーユニットが二以上並べて配置固定されるものであり、
前記せん断パネル型ダンパーユニットは、対向する二枚のベースプレート間に板状のダンパーウェブが縦向きに配置固定され、両ベースプレート間であってダンパーウェブの両端側にフランジプレートが縦向きで且つダンパーウェブと交差する向きに配置固定され、
前記二枚のベースプレートのうち一方のベースプレートは、橋梁を構成するブレース材に取り付けられたガセットプレートに固定された連結プレートに脱着可能に連結されるガセット側ベースプレートとし、
他方のベースプレートはダンパーユニットが配置される橋梁部材に脱着可能に連結される橋梁部材側ベースプレートとし、
前記ガセット側ベースプレートの横寸法は、前記連結プレートに二以上のガセット側ベースプレートを横に並べて配置可能な寸法であり、
前記ガセット側ベースプレートの外側面を、連結プレートと連結されるガセット側連結面とし、
前記構造物側ベースプレートの外側面を、前記橋梁部材に連結される橋梁部材側連結面とし、
横に並べた二以上のせん断パネル型ダンパーユニットの一部の取り外し時に他方のせん断パネル型ダンパーユニットが仮受け具の役割を果たすことができるものである、
ことを特徴とするせん断パネル型ダンパーユニット。
【請求項４】
橋梁に取り付けられたせん断パネル型ダンパーユニットの交換方法において、
橋梁を構成するブレース材に取り付けられたガセットプレートと連結プレートが固定され、
この連結プレートと橋梁部材との間にせん断パネル型ダンパーユニットが連結プレートに沿って二以上並べられ、
前記二以上並べたせん断パネル型ダンパーユニットの夫々が請求項３記載のせん断パネル型ダンパーユニットであり、
前記二以上のせん断パネル型ダンパーユニットの夫々のガセット側ベースプレートと、前記連結プレートとをボルト連結し、
前記二以上のせん断パネル型ダンパーユニットの夫々の橋梁部材側ベースプレートと、橋梁部材とをボルト連結し、
前記連結配置された二以上のせん断パネル型ダンパーユニットのうち一部は前記連結状態にしたままで、他のせん断パネル型ダンパーユニットを連結プレートと橋梁部材から取り外し、その取外し跡に交換用のせん断パネル型ダンパーユニットを配置して連結することを特徴とするせん断パネル型ダンパーユニットの交換方法。
【発明の詳細な説明】
【技術分野】
【０００１】
本件発明は建築物の鉄骨（ビル鉄骨）や橋梁、鉄道高架橋といった構造物の耐震性向上のために、構造物に取付けるせん断パネル型ダンパーと、構造物にせん断パネル型ダンパーを配置固定した取付け構造に関するものである。
【背景技術】
【０００２】
構造物の耐震性向上の目的で、図６（ａ）のように、構造物のフレーム横梁や橋梁の横支材等（以下「フレーム横梁」という）Ａと、ガセットプレートＢとの間（ダンパー配置箇所）にせん断パネル型ダンパーＣを取付ける場合がある。せん断パネル型ダンパーＣは図６（ｂ）のように、上下二枚のベースプレートＤ間にダンパーウェブＥが縦向きに配置固定され、ダンパーウェブＥの左右両側にフランジプレートＦが配置固定されている。ダンパーウェブＥには延性が極めて高い低降伏点鋼を用いて履歴型ダンパーとしてある。ダンパーウェブＥは常時の横力ＰH（図７）に対しては弾性範囲内の高い剛性で抵抗するが、大規模地震時には、せん断塑性変形によりエネルギー吸収して地震力を減衰させることができる。
【０００３】
図６（ａ）、（ｃ）は構造物のフレーム横梁Ａへ図６（ｂ）のせん断パネル型ダンパーＣを取付けた構造の一例である。この取付け構造では、ダンパーウェブＥとガセットプレートＢが同一面に段積みされ、ガセットプレートＢにブレース材Ｇ（図６（ａ））の一端が取付けられている。この段積み構造では、フレーム横梁Ａが横力ＰH（図８）を受けて変形しようとするのに対してブレース材Ｇが抵抗し、せん断パネル型ダンパーＣがせん断変形してエネルギー吸収が行われる。
【発明の開示】
【発明が解決しようとする課題】
【０００４】
図６（ａ）のように、せん断パネル型ダンパーＣを設置する取付け構造は、最近では、アーチ橋の横構システムなどでも採用され始めているが、橋梁特有の地震時の動的挙動や全体座屈に対する安全性などの問題も含むことから、その設計手法や取付け構造は開発途上にあるといえる。
【０００５】
図６（ａ）の取付け構造は次のような課題があった。
（１）従来のせん断パネル型ダンパーＣは、ガセットプレートＢを延長してその一部をダンパー部とする考えであり、ガセットプレートＢと同一面、同幅とすることが一般的であった。ダンパーウェブＥの幅は、せん断パネル型ダンパーＣの変形性能に大きな影響力を及ぼす因子であり、ダンパーウェブＥの幅がガセットプレートＢの幅に制約されるとせん断パネル型ダンパーＣの変形性能設定にも制約が生じる。
（２）せん断パネル型ダンパーＣが１個の場合、大規模地震時の横力が作用し損傷したせん断パネル型ダンパーＣを交換するとき、取外すせん断パネル型ダンパーＣの代わりに仮受け具を用意する必要があり、その設置が面倒である。
（３）ブレース材Ｇの軸心交点とフレーム横梁Ａとの間のガセット部に、せん断パネル型ダンパーＣを段積みして組み込んであるため、ブレース材Ｇの軸心交点は、フレーム横梁Ａからせん断パネル型ダンパーＣの高さ分だけ偏心しており、せん断パネル型ダンパーＣに作用する横力ＰHに伴い、偏心量e（図８）による曲げモーメントＭ（Ｍ＝ＰH×ｅ）が生じ、フレーム横梁Ａの耐力に悪影響を与えることになる。
【課題を解決するための手段】
【０００６】
本件発明の橋梁へのせん断パネル型ダンパーユニットの取付け構造は、橋梁へのせん断パネル型ダンパーユニットの取付け構造において、前記せん断パネル型ダンパーユニットが、橋梁を構成するブレース材に取り付けられたガセットプレートに固定された連結プレートと、橋梁部材との間であって、前記板状のダンパーウェブの面が前記ブレース材と前記橋梁部材と同一面内となるように配置されるとともに、横に離れて又は接触して、二以上並べられたものである。このせん断パネル型ダンパーユニットは、対向する二枚のベースプレート間に板状のダンパーウェブが縦向きに配置固定され、両ベースプレート間であってダンパーウェブの両端側にフランジプレートが縦向き且つダンパーウェブと交差する向きに配置固定されるせん断パネル型ダンパーユニットであって、前記二枚のベースプレートのうち一方のベースプレートを、橋梁を構成するブレース材に取り付けられたガセットプレートに固定された連結プレートに脱着可能に連結されるガセット側ベースプレートとし、他方のベースプレートを、せん断パネル型ダンパーユニットが配置される橋梁部材に脱着可能に連結される橋梁部材側ベースプレートとし、前記ガセット側ベースプレートの外側面を、前記連結プレートと連結されるガセット側連結面とし、前記橋梁部材側ベースプレートの外側面を、前記橋梁部材に連結される橋梁部材側連結面とし、
前記ガセット側ベースプレートの横寸法は、前記連結プレートに二以上のガセット側ベースプレートを横に並べて配置可能な寸法である。また、前記連結プレートは、前記二以上のせん断パネル型ダンパーユニットのガセット側ベースプレートを配置可能な横寸法である。さらに、横に並べられた二以上のせん断パネル型ダンパーユニットは、そのガセット側連結面が前記連結プレートと、橋梁部材側連結面が前記橋梁部材と、夫々個別に連結され、前記二以上のせん断パネル型ダンパーユニットは、これら二以上のせん断パネル型ダンパーユニットのうち一部が連結された状態のままで、夫々個別に、前記連結プレートと前記橋梁部材から取り外して交換可能であり、夫々のせん断パネル型ダンパーユニットは一部のせん断パネル型ダンパーユニットの取り外し時に仮受け具の役割を果たすことができるものである。
この場合、２本のブレース材がＶ字状に配置され、前記ブレース材の軸芯を延長した交点が、せん断パネル型ダンパーユニットが連結された橋梁部材上に位置することにより、ブレース材の前記軸芯の交点と、前記橋梁部材と、の偏心に伴う水平力による曲げモーメントが低減されるようすることもできる。
【０００７】
本件発明のせん断パネル型ダンパーユニットは、請求項１又は請求項２に記載の橋梁へのせん断パネル型ダンパーユニット取付け構造に、交換可能に配置固定されるせん断パネル型ダンパーユニットにおいて、前記せん断パネル型ダンパーユニットは、橋梁を構成するブレース材に取り付けられたガセットプレートに固定された連結プレートと、橋梁部材との間にせん断パネル型ダンパーユニットが二以上並べて配置固定されるものである。また、前記せん断パネル型ダンパーユニットは、対向する二枚のベースプレート間に板状のダンパーウェブが縦向きに配置固定され、両ベースプレート間であってダンパーウェブの両端側にフランジプレートが縦向きで且つダンパーウェブと交差する向きに配置固定され、前記二枚のベースプレートのうち一方のベースプレートは、橋梁を構成するブレース材に取り付けられたガセットプレートに固定された連結プレートに脱着可能に連結されるガセット側ベースプレートとし、他方のベースプレートはダンパーユニットが配置される橋梁部材に脱着可能に連結される橋梁部材側ベースプレートとしたものである。前記ガセット側ベースプレートの横寸法は、前記連結プレートに二以上のガセット側ベースプレートを横に並べて配置可能な寸法である。前記せん断パネル型ダンパーユニットは、前記ガセット側ベースプレートの外側面を、連結プレートと連結されるガセット側連結面とし、前記構造物側ベースプレートの外側面を、前記橋梁部材に連結される橋梁部材側連結面とし、横に並べた二以上のせん断パネル型ダンパーユニットの一部の取り外し時に他方のせん断パネル型ダンパーユニットが仮受け具の役割を果たすことができるものである。
本件発明のせん断パネル型ダンパーユニットの交換方法は、橋梁を構成するブレース材に取り付けられたガセットプレートと連結プレートとを固定し、この連結プレートと橋梁部材との間にせん断パネル型ダンパーユニットが、その連結プレートに沿って二以上並べられ、前記二以上並べたせん断パネル型ダンパーユニットの夫々が請求項３記載のせん断パネル型ダンパーユニットであり、前記二以上のせん断パネル型ダンパーユニットの夫々のガセット側ベースプレートと、前記連結プレートとをボルト連結し、前記二以上のせん断パネル型ダンパーユニットの夫々の橋梁部材側ベースプレートと、橋梁部材とをボルト連結し、前記連結配置された二以上のせん断パネル型ダンパーユニットのうち一部は前記連結状態にしたままで、他のせん断パネル型ダンパーユニットを連結プレートと橋梁部材から取り外し、その取外し跡に交換用のせん断パネル型ダンパーユニットを配置して連結するものである。
【発明の効果】
【０００８】
本件発明のせん断パネル型ダンパーユニットは次のような効果がある。
１．対向する二枚のベースプレートと、ダンパーウェブと、フランジプレートが予め配置固定されてユニット化されているため、保管、運搬、現場施工等が容易であり緊急時に対応し易い。橋梁や建築物の大規模地震に対する耐震補強は特に危急なことが多いが、本件発明のせん断パネル型ダンパーユニットを使用すれば前記緊急性に対応可能である。
２．ベースプレートの横寸法がガセットプレートの横寸法よりも短いため構造物のガセット部に二以上のせん断パネル型ダンパーユニットを横に離して又は接触させて配置固定することができる。
【０００９】
本件発明の橋梁へのせん断パネル型ダンパーユニットの取付け構造は、構造物のダンパー配置箇所に二以上のせん断パネル型ダンパーユニットが横に並べて配置固定されているので次のような効果がある。
１．せん断パネル型ダンパーユニットを二以上配置することで、ダンパーウェブの寸法がガセットプレート寸法の影響を受けにくくなり、自由な設定が可能になる。そのため、ダンパーウェブ厚の異なるせん断パネル型ダンパーユニットを混在させたり、変形性能を発揮し易いようにダンパーウェブを正方形にすることもでき、多くの利点がある。
２．大規模地震時の横力を受けて損傷したせん断パネル型ダンパーユニットを交換する時、他方のせん断パネル型ダンパーユニットが仮受け具の役割を果たすため仮受け具を用意する必要がなく、仮受け具の設置、取外しの面倒が無いため交換作業が容易になる。
３．損傷の少ないせん断パネル型ダンパーユニットは図３（ｂ）のように構造物のフレーム横梁（横支材）７とガセットプレート４との間のガセット部にジャッキＪを挿入して強制的に形状を戻すなどしてそのまま使用できるため交換の手間もコストも低減する。この場合、ジャッキＪはジャッキ反力架台Ｔで支持するのがよい。
４．せん断パネル型ダンパーユニットの配置間隔を広げることが可能であるためガセットプレート幅とブレース材間隔も広げることができ、そうすることでブレース材軸心交点を横梁位置に近づけて偏心量を減ずることができ、ダンパー部に作用する横力ＰHに伴う偏心量e（図８）による曲げモーメントＭ（Ｍ＝ＰH×ｅ）が減じ、横梁の耐力に与える悪影響が少ない。
【発明を実施するための最良の形態】
【００１０】
（せん断パネル型ダンパーユニットの実施形態）
図１に本件発明のせん断パネル型ダンパーユニットの第１の例を示す。このせん断パネル型ダンパーユニットは二枚のベースプレート１が上下に対向し、この両ベースプレート１間に、一枚のダンパーウェブ２が縦向きに配置されて溶接とか他の手段で固定され、二枚のフランジプレート３が前記二枚のベースプレート１間であってダンパーウェブ２の両端面に接して縦向きに且つダンパーウェブ２と交差する向きに（図１では直交して）配置され、溶接とか他の手段で固定されてユニット化されている。前記ベースプレート１の横寸法はガセットプレート４（図２（ａ）、（ｂ））の横寸法幅よりも短くして、一枚のガセットプレート４に対して二以上のユニットを配置固定できるようにしてある。前記ダンパーウェブ２には低降伏点鋼を使用して履歴型ダンパーとすることにより常時の横力に対しては弾性範囲内の高い剛性で抵抗するが、大規模地震時にはせん断塑性変形によりエネルギー吸収して地震力を減衰させることができるようにしてある。二枚のベースプレート１の夫々の周辺部には止め孔５（図１）が多数開口されている。
【００１１】
図１のせん断パネル型ダンパーユニットは、ベースプレート１の横寸法をガセットプレート４の横寸法の１／２、１／３といった任意長にして、一枚のガセットプレート４に対して二以上のせん断パネル型ダンパーユニットを横に並べ配置できるようにしてある。この場合、二以上のせん断パネル型ダンパーユニットは間隔をあけて離して配置することも隙間をあけずに接触させて配置することもできる。
【００１２】
（せん断パネル型ダンパーユニット取付け構造１）
本件発明の橋梁へのせん断パネル型ダンパーユニットの取付け構造の第１の例を図２（ａ）、（ｂ）に示す。図２（ａ）は構造物の一部を示したものであり、左右の主構部材６と上下の横支材（橋梁の場合は横支材であるが建築物の場合はフレーム横梁：以下いずれの場合も「横支材」という。）７と、Ｖ字状に配置された２本のブレース材８と、ブレース材８の軸心交点に固定されたガセットプレート４と、ガセットプレート４の下にそれと同じ寸法の連結プレート１０で構成されている。ブレース材８にはＴ型鋼、Ｉ型鋼、Ｌ型鋼、Ｈ型鋼といった任意形状の鋼材が使用される。
【００１３】
図２（ａ）では二つのせん断パネル型ダンパーユニット９を、連結プレート１０と下の横支材７との間のガセット部（ダンパー配置箇所）に横に離して並べて配置し、上のベースプレート１を連結プレート１０に、下のベースプレート１を下の横支材７に固定してある。この固定は溶接、ボルトとナット、他の固定手段で行うことができる。図２（ｂ）ではブレース材８とガセットプレート４、連結プレート１０とせん断パネル型ダンパーユニット９の一方のベースプレート１、せん断パネル型ダンパーユニット９の他方のベースプレート１と構造物の横支材７の夫々をボルトとナットでの連結固定してある。ボルトとナットでの連結固定はせん断パネル型ダンパーユニット９の交換が容易であるという利点がある。
【００１４】
（せん断パネル型ダンパーユニット取付け構造２）
本件発明ではせん断パネル型ダンパーユニットの配置数は二以上の所望数とすることができ、配置間隔、配置位置等は構造物の条件に合うようにその都度選択する。図２（ａ）、（ｂ）では横（左右）に離して一列に並べた二つのせん断パネル型ダンパーユニット９を連結プレート１０の左右両端に揃えて配置してあるが、せん断パネル型ダンパーユニット９は二つ以上を接触させて横一列に並べたり、ガセットプレート４又は連結プレート１０の両端よりも内側に配置固定したりすることも、逆に両端の外側に突出させて配置固定したりすることもできる。せん断パネル型ダンパーユニット９を三以上配置する場合も等間隔で配置したり異なる間隔で配置したりすることもできる。二以上のせん断パネル型ダンパーユニット９は横長サイズ、構造等の異なるものを並べて配置固定することもでき、配置例としては連結プレート１０やガセットプレート４の左右両側に横長サイズのものを配置固定し、中間に正方形のものを配置固定するとか、それとは逆に左右両側に正方形のものを配置固定し、中間に横長サイズのものを配置固定することもでき、場合によっては配置する三以上のせん断パネル型ダンパーユニット９を全て同じ或いは異なるサイズ、形状、構造のものとすることもできる。せん断パネル型ダンパーユニット９は二以上を離して又は接触させて斜めに配置したり、二以上を横に離して又は接触させて横一列に並べ且つ前後に二列以上配列したりすることもできる。前記いずれの配置の場合も上下に（縦に）二段以上重ねることもでき、これら以外の任意の配置、積み重ねとすることもできる。
【００１５】
（せん断パネル型ダンパーユニット設置箇所の説明１）
本件発明のユニット型のせん断パネル型ダンパーユニットは構造物の必要箇所に配置（設置）することができる。図４にビル鉄骨に配置した例を示す。図４は側面図である。このビル鉄骨の場合は柱（主支材）６と梁（横支材）７の間に横力に抵抗するために設けられたブレース材８の軸心交点とその下の横支材７との間のガセット部分に本件発明のせん断パネル型ダンパーユニット９を設置してある。
【００１６】
（せん断パネル型ダンパーユニット設置箇所の説明２）
本件発明のせん断パネル型ダンパーユニットの橋梁への適用例としてはブレース材で構成された横構や対傾構など二次部材が考えられる。代表的な橋梁形式としてはトラス橋やアーチ橋が考えられる。図５（ａ）に上路式アーチ橋１５に設置する例を示す。図５（ａ）は上路式アーチ橋の側方斜視図を示す。この場合は設置可能な箇所が多数あるため、設置にあたっては耐震解析を行った上で効果のある箇所を選んで設置することになる。
【００１７】
図５（ｂ）は上路式アーチ橋１５の補剛桁の横構システムを示すものであり、補剛桁１６と横桁１７の交点と、横桁１７との間に架設されたブレース材８の交点のガセット部に本件発明のせん断パネル型ダンパーユニット９を設置した例である。
【００１８】
図５（ｃ）は上路式アーチ橋１５の対傾構の横構システムを示すものであり、支柱１８と横支材１９の交点のガセット部と、横支材１９とその軸方向中間部に架設されたブレース材８との交点のガセット部の夫々に本件発明のせん断パネル型ダンパーユニット９を設置した例である。
【００１９】
図５（ｄ）は上路式アーチ橋１５のアーチリブの横構システムを示すものであり、アーチリブ２０と横支材２１の交点と、横支材２１とその軸方向中間部に架設されたブレース材８の交点とのガセット部に本件発明のせん断パネル型ダンパーユニット９を設置した例である。
【００２０】
図４、図５（ｂ）〜（ｄ）のいずれの構造も、本件発明のせん断パネル型ダンパーユニット９を既設橋梁のガセット部の構造と置き換えることができ、新設橋梁の場合は本発明のユニット形のせん断パネル型ダンパーユニット９を前記ガセット部に配置固定することができる。
【図面の簡単な説明】
【００２１】
【図１】本件発明のユニット型のせん断パネル型ダンパーユニットの一例を示す斜視図。
【図２】（ａ）は本件発明のせん断パネル型ダンパーユニットを横に二つ離して取付けた構造の一例を示す正面概略図、（ｂ）は（ａ）の配置固定部の詳細説明図。
【図３】（ａ）は本件発明のせん断パネル型ダンパーユニット取付け構造において、せん断パネル型ダンパーユニット交換時の説明図、（ｂ）はせん断パネル型ダンパーユニットの矯正説明図。
【図４】ビル鉄骨への本件発明のせん断パネル型ダンパーユニットの設置箇所を示す正面概略図。
【図５】（ａ）は上路式アーチ橋の概略斜視図、（ｂ）は（ａ）のＡ部分に本件発明のせん断パネル型ダンパーユニットを設置した場合の説明図、（ｃ）は（ａ）のＢ部分に本件発明のせん断パネル型ダンパーユニットを設置した場合の説明図、（ｄ）は（ａ）のＣ部分に本件発明のせん断パネル型ダンパーユニットを設置した場合の説明図。
【図６】（ａ）は従来のせん断パネル型ダンパーユニット取付け構造の正面図、（ｂ）は（ａ）の取付け構造に使用されるせん断パネル型ダンパーユニットの斜視図、（ｃ）は（ａ）のせん断パネル型ダンパーユニット部分の説明図。
【図７】従来のせん断パネル型ダンパーユニットにおけるダンパーウェブのせん断塑性変形によるエネルギー吸収の説明図。
【図８】従来のせん断パネル型ダンパーユニット取付け構造の説明図。
【符号の説明】
【００２２】
１  ベースプレート
２  ダンパーウェブ
３  フランジプレート
４  ガセットプレート
５  止め孔
６  主構部材
７  フレーム横梁（横支材）
８  ブレース材
９  せん断パネル型ダンパーユニット
１０  連結プレート
１５  上路式アーチ橋
１６  補剛桁
１７  横桁
１８  支柱
１９  横支材
２０  アーチリブ
２１  横支材
Ａ  フレーム横梁
Ｂ  ガセットプレート
Ｃ  せん断パネル型ダンパーユニット
Ｄ  ベースプレート
Ｅ  ダンパーウェブ
Ｆ  フランジプレート
Ｇ  ブレース材
Ｊ  ジャッキ
ＰH  横力
Ｔ  ジャッキ反力架台
【図１】
0004362634.tif 000002
【図２】
0004362634.tif 000003
【図３】
0004362634.tif 000004
【図４】
0004362634.tif 000005
【図５】
0004362634.tif 000006
【図６】
0004362634.tif 000007
【図７】
0004362634.tif 000008
【図８】
0004362634.tif 000009